(57)【要約】【課題】遊技の邪魔になったり、遊技機のデザインを損なうことなく、遊技機にマネークリップを配置して、紙幣を確実に保持できるようにすると共に、マネークリップによって保持された紙幣の盗難も効果的に防止できるようにする。【解決手段】筐体２の前面部に、コイン投入口９ａが形成されたコイン投入ユニット９を備えるスロットマシン１であって、筐体２の前面部とコイン投入ユニット９の背面板９ｂとの間に、紙幣を弾性的に挟持するマネークリップ１３を配置する。【選択図】図４
2007244474.tif 000002
【特許請求の範囲】
【請求項１】
筐体の前面部に、コイン投入口が形成されたコイン投入ユニットを備える遊技機であって、前記筐体の前面部と前記コイン投入ユニットの背面板との間に、紙幣を弾性的に挟持するマネークリップを配置したことを特徴とする遊技機。
【請求項２】
前記マネークリップは、前記筐体に形成される孔を介して前記筐体の内側から外側に突設される紙幣挟持部と、前記筐体の内側に係合して前記紙幣挟持部を抜止めする抜止め部とを備えることを特徴とする請求項１記載の遊技機。
【請求項３】
前記マネークリップは、当該マネークリップと前記コイン投入ユニットとの隙間への紙幣の差し込みを規制する差し込み規制部を備えることを特徴とする請求項１又は２記載の遊技機。
【請求項４】
前記差し込み規制部は、前記紙幣挟持部の上端から前方に延出し、前記背面板の上部に形成される凹部に入り込むことを特徴とする請求項３記載の遊技機。
【発明の詳細な説明】
【技術分野】
【０００１】
本発明は、コインを用いて遊技されるスロットマシンなどの遊技機に関し、特に、紙幣を挟持するマネークリップが設けられた遊技機に関する。
【背景技術】
【０００２】
コインを用いて遊技されるスロットマシンなどの遊技機が知られている。この種の遊技機で遊技を行う場合は、まず、台間に設置されるコイン貸出機に紙幣を投入し、コインの貸出を受ける必要があるが、コイン貸出毎にいちいち財布から紙幣を取り出すという動作は、遊技者にとって極めて煩雑である。従って、遊技者は、通常、複数の紙幣を予め遊技機の受け皿内に載置したり、遊技機の隙間部分（例えば、筐体の前面部とコイン投入ユニットの背面板との間）に挟んでおき、ここから紙幣を一枚ずつ取り出してコイン貸出機に投入している。
【０００３】
しかしながら、受け皿内に紙幣を載置した場合には、受け皿に払い出されるコインによって紙幣が散乱したり、紙幣の下にコインが隠れ、コインの取り出しが阻害される可能性がある。
また、遊技機の隙間部分に紙幣を挟んだ場合には、紙幣の枚数と隙間寸法の関係で紙幣の挟持力が変化するので、紙幣の消費に伴う挟持力の低下によって紙幣が脱落する可能性がある。
【０００４】
そこで、遊技機に取り付けて使用される紙幣ホルダー（マネークリップ）が提案されている。例えば、特許文献１に記載される紙幣ホルダーは、金属帯板を渦巻き状に巻き曲げることにより形成され、紙幣差し入れ口から差し込まれた紙幣を内部の渦型室で保持することができる。
【特許文献１】特開２００４−１８７９６０号公報
【発明の開示】
【発明が解決しようとする課題】
【０００５】
しかしながら、特許文献１に記載される紙幣ホルダーは、比較的大型であり、遊技機の正面部に突出状に設けられているので、遊技の邪魔になる可能性があるだけでなく、遊技機のデザインを損なう惧れがある。
また、特許文献１には、渦型室を筐体内部に構成する実施例も示されているが、このような紙幣ホルダーは、差し込まれた紙幣が内部に残留する惧れがあるため、実現が困難である。
【課題を解決するための手段】
【０００６】
本発明は、上記の如き実情に鑑みこれらの課題を解決することを目的として創作されたものであって、筐体の前面部に、コイン投入口が形成されたコイン投入ユニットを備える遊技機であって、前記筐体の前面部と前記コイン投入ユニットの背面板との間に、紙幣を弾性的に挟持するマネークリップを配置したことを特徴とする。このようにすると、遊技の邪魔になったり、遊技機のデザインを損なうことなくマネークリップを配置し、紙幣を確実に保持することができる。しかも、マネークリップが配置されるコイン投入ユニット近傍は、コイン投入毎に遊技者が目視する場所であるため、遊技者の紙幣確認を促し、紙幣の盗難も効果的に防止できる。
また、前記マネークリップは、前記筐体に形成される孔を介して前記筐体の内側から外側に突設される紙幣挟持部と、前記筐体の内側に係合して前記紙幣挟持部を抜止めする抜止め部とを備えることを特徴とする。このようにすると、挟持した紙幣を取り出す際にマネークリップに大きな力が作用しても、マネークリップが筐体から外れる不都合を防止できる。
また、前記マネークリップは、当該マネークリップと前記コイン投入ユニットとの隙間への紙幣の差し込みを規制する差し込み規制部を備えることを特徴とする。このようにすると、マネークリップとコイン投入ユニットとの隙間に紙幣が挟まる不都合を防止し、マネークリップの使い勝手を向上させることができる。
また、前記差し込み規制部は、前記紙幣挟持部の上端から前方に延出し、前記背面板の上部に形成される凹部に入り込むことを特徴とする。このようにすると、マネークリップとコイン投入ユニットとの隙間に対する紙幣の差し込みをより確実に阻止できるだけでなく、マネークリップの動作をスムーズにすることができる。
【発明の効果】
【０００７】
以上のように構成された本発明によれば、筐体の前面部とコイン投入ユニットの背面板との間に、紙幣を弾性的に挟持するマネークリップを配置することにより、マネークリップが、遊技の邪魔になったり、遊技機のデザインを損なうような不都合が解消される。しかも、マネークリップが配置されるコイン投入ユニット近傍は、コイン投入毎に遊技者が目視する場所であるため、遊技者の紙幣確認を促し、紙幣の盗難も効果的に防止できる。
【発明を実施するための最良の形態】
【０００８】
［遊技機］
次に、本発明の実施の形態について、図面に基づいて説明する。図１において、１はコインを用いて遊技されるスロットマシン（遊技機）であって、該スロットマシン１は、ホールの遊技機島に対し、左右方向に所定の間隔を存して複数設置される。各スロットマシン１の側方隣接位置には、コイン貸出機（図示せず）が並設され、このコイン貸出機に紙幣を投入することにより、コイン貸出機から所定数のコインが貸し出され、スロットマシン１でのコインを用いた遊技が可能になる。
【０００９】
スロットマシン１の筐体２は、前面が開口した箱体２ａと、箱体２ａの前面開口を開閉自在に覆蓋する扉体２ｂとを備えて構成されている。扉体２ｂの前面には、上側から順に、演出ランプ３、表示部４、操作部５、下部パネル６、受け皿７などが設けられ、箱体２ａの内部には、図示しない制御部、リールユニット、ホッパ装置などが設けられている。
【００１０】
演出ランプ３は、スロットマシン１の遊技状態に応じて点灯制御される。
表示部４は、リールユニットの対応位置に透明な表示窓４ａを有し、該表示窓４ａを介して、各リールの外周に付された図柄が目視される。また、表示部４は、有効ライン（図示せず）を示しており、この有効ライン上における停止図柄の配列にもとづいて入賞内容が決定される。
【００１１】
操作部５は、上方を向く上面５ａと、前方を向く前面５ｂとによって段差状に形成されている。上面５ａの左側には、内部貯留されたクレジットをゲームに賭けるＢＥＴボタン８が設けられ、上面５ａの右側には、コイン投入口９ａを形成するコイン投入ユニット９が設けられている。クレジットが有る場合は、ＢＥＴボタン８を押し、クレジットが無い場合は、コイン投入口９ａから所定数のコインを投入することにより、ゲームのスタートが許容される。ちなみに、コイン投入口９ａから投入されたコインは、扉体２ｂの裏面に設けられるコインセレクタ（図示せず）を介してホッパ装置に導かれ、ここに貯留される。
【００１２】
図２及び図３に示すように、本実施形態のコイン投入ユニット９は、コイン投入口９ａの後端から立ち上がる背面板９ｂと、コイン投入口９ａの前端から前方に延出する正面視円弧状のガイド溝９ｃとを備えており、コインを投入する際、背面板９ｂ及びガイド溝９ｃでコインをガイドすることにより、コイン投入口９ａに対するコインの投入操作が容易になる。このようなコイン投入ユニット９は、通常、背面板９ｂの背面と扉体２ｂ（筐体２）の前面とが所定の間隔を存して対向する状態で、操作部５の上面５ａに取り付けられている。
【００１３】
また、操作部５の前面５ｂには、スタートレバー１０及び複数のストップボタン１１が設けられている。上記の投入操作によりコインを賭けた後、スタートレバー１０を操作することにより、複数のリールが回転し、しかる後、各ストップボタン１１を操作することにより、対応するリールの回転が停止される。
下部パネル６は、バックライトで照らされる装飾パネルであり、例えば、スロットマシン１の機種名などを表示している。
受け皿７は、扉体２ｂの最下部に設けられている。上記のリール停止操作後、有効ライン上で所定の図柄配列が揃った場合、入賞内容に応じた枚数のコインがホッパ装置から払出口１２を介して受け皿７に払い出される。
【００１４】
［マネークリップ］
図２〜図４に示すように、スロットマシン１には、マネークリップ１３が設けられている。マネークリップ１３は、コイン貸出機に投入する予定の紙幣を弾性的に挟持するために設けられるものであり、本発明のスロットマシン１では、扉体２ｂの前面部とコイン投入ユニット９の背面板９ｂとの間にマネークリップ１３が配置される。マネークリップ１３をこのように配置すると、マネークリップ１３が、遊技の邪魔になったり、スロットマシン１のデザインを損なうような不都合が解消される。しかも、マネークリップ１３が配置されるコイン投入ユニット９の近傍位置は、コイン投入毎に遊技者が目視する場所であるため、遊技者の紙幣確認を促し、紙幣の盗難も効果的に防止できる。
【００１５】
具体的に説明すると、本実施形態のマネークリップ１３は、弾性板材を曲げ加工して形成されており、互いに対向する前後一対の紙幣挟持部１３ａ、１３ｂと、紙幣挟持部１３ａ、１３ｂの下端同士を連結する抜止め部１３ｃとを備えている。マネークリップ１３を扉体２ｂ（筐体２）に取り付ける際には、扉体２ｂに形成される前後一対のスリット孔２ｃ、２３ｃを介して、前後一対の紙幣挟持部１３ａ、１３ｂを扉体２ｂの内側から外側に突設させ、抜止め部１３ｃは、扉体２ｂの内側に係合させる。これにより、挟持した紙幣を取り出す際にマネークリップ１３に大きな引張り力が作用しても、マネークリップ１３が扉体２ｂから外れる不都合を防止できる。
なお、スリット孔２ｃ、２ｃから不正器具がスロットマシン１の内部に挿入されることを防ぐために、マネークリップ１３が扉体２ｂに取り付けられた後にスリット孔２ｃ、２ｃを塞ぐ塞ぎ部材を、筐体２ｂに取り付けても良い。この塞ぎ部材は、熱可塑性を有する材料（例えばフェノール樹脂、メラミン樹脂、ポリエチレン、ポリ塩化ビニル）でスリット孔２ｃ、２ｃを塞ぐように成型したものや、扉体２ｂの内側からスリット孔２ｃ、２ｃの形成領域を覆う板であってもよい。また、塞ぎ部材は、その扉体２ｂの外側が熱可塑性を有する材料を成型したものと、扉体２ｂの内側が前記した板とで構成されるものであってもよい。
【００１６】
また、本実施形態のマネークリップ１３は、前側紙幣挟持部１３ａの上端部に差し込み規制部１３ｄを備えている。この差し込み規制部１３ｄは、マネークリップ１３とコイン投入ユニット９との隙間の上方を覆うことにより、該隙間への紙幣の差し込みを規制している。これにより、マネークリップ１３とコイン投入ユニット９との隙間に紙幣が挟まる不都合を防止し、マネークリップ１３の使い勝手を向上させることができる。
また、本実施形態の差し込み規制部１３ｄは、前側紙幣挟持部１３ａの上端から前方に延出するだけでなく、背面板９ｂの上部に形成される凹部９ｄに入り込むように形成されている。これにより、マネークリップ１３とコイン投入ユニット９との隙間に対する紙幣の差し込みをより確実に阻止できるだけでなく、マネークリップ１３の動作をスムーズにすることができる。。
【００１７】
叙述の如く構成された本実施形態によれば、筐体２の前面部に、コイン投入口９ａが形成されたコイン投入ユニット９を備えるスロットマシン１であって、筐体２の前面部とコイン投入ユニット９の背面板９ｂとの間に、紙幣を弾性的に挟持するマネークリップ１３を配置したので、マネークリップ１３が、遊技の邪魔になったり、スロットマシン１のデザインを損なうような不都合を解消できる。しかも、マネークリップ１３が配置されるコイン投入ユニット９の近傍は、コイン投入毎に遊技者が目視する場所であるため、遊技者の紙幣確認を促し、紙幣の盗難も効果的に防止できる。
【００１８】
また、マネークリップ１３は、筐体２に形成されるスリット孔２ｃを介して筐体２の内側から外側に突設される紙幣挟持部１３ａ、１３ｂと、筐体２の内側に係合して紙幣挟持部１３ａ、１３ｂを抜止めする抜止め部１３ｃとを備えるので、挟持した紙幣を取り出す際にマネークリップ１３に大きな力が作用しても、マネークリップ１３が筐体２から外れる不都合を防止できる。
【００１９】
また、マネークリップ１３は、当該マネークリップ１３とコイン投入ユニット９との隙間への紙幣の差し込みを規制する差し込み規制部１３ｄを備えるので、マネークリップ１３とコイン投入ユニット９との隙間に紙幣が挟まる不都合を防止し、マネークリップ１３の使い勝手を向上させることができる。
【００２０】
また、差し込み規制部１３ｄは、紙幣挟持部１３ａの上端から前方に延出し、背面板９ｂの上部に形成される凹部９ｄに入り込むので、マネークリップ１３とコイン投入ユニット９との隙間に対する紙幣の差し込みをより確実に阻止できるだけでなく、マネークリップ１３の動作をスムーズにすることができる。
【図面の簡単な説明】
【００２１】
【図１】スロットマシンの斜視図である。
【図２】コイン投入ユニット及びマネークリップを示す要部正面図である。
【図３】コイン投入ユニット及びマネークリップを示す要部側面断面図である。
【図４】マネークリップを示す斜視図である。
【符号の説明】
【００２２】
１      スロットマシン
２      筐体
２ａ    箱体
２ｂ    扉体
２ｃ    スリット孔
５      操作部
９      コイン投入ユニット
９ａ    コイン投入口
９ｂ    背面板
９ｃ    ガイド溝
９ｄ    凹部
１３    マネークリップ
１３ａ  紙幣挟持部
１３ｃ  抜止め部
１３ｄ  差し込み規制部
【図１】
2007244474.tif 000003
【図２】
2007244474.tif 000004
【図３】
2007244474.tif 000005
【図４】
2007244474.tif 000006